(57)【特許請求の範囲】
【請求項１】
弾性圧搾可能に設けた胴部２の上端から、口頸部４を起立する容器体１と、
上記口頸部上端面へ係合させた鍔状頂壁13から装着筒12を垂下して口頸部４外面へ嵌合させると共に、上記鍔状頂壁13からガイド筒14を、かつ該ガイド筒下端から縮径部15を介して容器体内へ押上げパイプ16付きの口筒17を、それぞれ装着筒12と同軸に突設する保持筒部材11と、
上記ガイド筒14内へ嵌合させたシリンダ26下端から、内向きフランジ27を介して小内径のノズル28を垂下し、該ノズル下端を上記口筒17の上端部内へ水密に嵌合させ、又シリンダ26上端に、上記保持筒部材11からの引抜き用把手30を付設したシリンダ付き部材25と、  上記シリンダ内へ、水密にかつ上下動自在に嵌合させた有頂かつ下面開口のプランジヤ35と、
上記シリンダの上端部内面へ固着されて、プランジヤ35の抜出しを防止するストッパ42とからなり、
上記容器体胴部の強制圧搾によって、押上げパイプ16、口筒17、ノズル28を通ってシリンダ内へ入った液体が、プランジヤ35を押上げ可能に形成したことを特徴とする液体分配容器。
【請求項２】
口筒１７の中間部内面に吸込み弁２０を設け、かつ縮径部１５ないしガイド筒１４に外気吸入用小透孔１８を穿設したことを特徴とする、請求項１記載の液体分配容器。
【請求項３】
保持筒部材１１が有する筒部分内面一部と、該筒部分内に嵌合するシリンダ付き部材２５が有する筒部分外面一部とを螺合させたことを特徴とする、請求項１又は２記載の液体分配容器。
【請求項４】
弾性圧搾可能に設けた胴部２の上端から、口頸部４を起立する容器体１と、
上記口頸部上端面へ係合させた鍔状頂壁13から装着筒12を垂下して口頸部４外面へ嵌合させると共に、上記鍔状頂壁13からガイド筒14を、かつ該ガイド筒下端から縮径部15を介して容器体内へ押上げパイプ16付きの口筒17を、それぞれ装着筒12と同軸に突設する保持筒部材11と、
上記ガイド筒14内へ嵌合させたシリンダ26下端から、内向きフランジ27を介して小内径のノズル28を垂下し、該ノズル下端を上記口筒17の上端部内へ水密に嵌合させ、又シリンダ26上端に、上記保持筒部材11からの引抜き用把手30を付設したシリンダ付き部材25と、  上記シリンダ内へ、水密にかつ上下動自在に嵌合させたプランジヤ35と、
上記シリンダの上端部内面へ固着されて、プランジヤ35の抜出しを防止するストッパ42とからなり、
上記容器体胴部の強制圧搾によって、押上げパイプ16、口筒17、ノズル28を通ってシリンダ内へ入った液体が、プランジヤ35を押上げ可能に形成し、
又上記縮径部15の上端部分から、複数かつ同一大きさの山形突部46を等間隔に起立すると共に、それ等山形突部の各上面に下面を噛合う複数の逆山形突部47をシリンダ下端の内向きフランジ27外周部から垂設し、
又ガイド筒14とシリンダ26との各上部対向面に、互いに係合してガイド筒14に対してシリンダ26を下限位置で假止めする凹凸の係合手段45を付設したことを特徴とする液体分配容器。
【発明の詳細な説明】
【０００１】
【発明の属する技術分野】
本発明は、ほぼ一定量の液体を容器体内から取出し、他の容器等に移すことが可能に設けた液体分配容器に関する。
【０００２】
【従来の技術】
この種の従来の容器は、例えば実開平７‐８５９  号のように、弾性圧搾可能な胴部を有する容器体口頸部へ嵌合させたキャップ状部材の頂壁中央部に押上げパイプ付きの口筒を貫設しておき、又頂壁よりも上方へ突出する口筒部分の外面へ水密に着脱できる筒部を底壁中央部に貫設した計量カップを設け、その筒部を上記口筒へ嵌合させて、該計量カップを上記キャップ状部材上へ載置させ、該状態から容器体胴部を圧搾することで計量カップ内に容器体内液体を入れ、次いで計量カップを外して該カップ内液体を他の容器等に移すものである。
【０００３】
【発明が解決しようとする課題】
上記従来の液体分配容器では、計量カップ内での液体計量を、容器体胴部圧搾によって計量カップ内で上昇する液面を目視し乍ら行うこととなり、目視しないで容器体胴部の圧搾を継続すると、計量カップから溢水することとなる。
【０００４】
請求項１記載の発明は上記計量カップに代えて、上端面開口のシリンダを、従来のキャップ状部材に代る保持筒部材内へ嵌合させると共に、該シリンダ内へプランジヤを嵌合させておき、容器体胴部の圧搾によって容器体内液体がシリンダ内へ入るとプランジヤが押上げられ、該プランジヤが上限まで押上げられたときに生ずる胴部圧搾の手應えでシリンダ内に液体が充満したことを知ることが出来るよう設けたものである。
【０００５】
請求項２記載の発明は、上記請求項１記載発明が有する課題のほか、シリンダ内へ入った液体が再び容器体内へ還流しないよう、又液体減少により負圧化した容器体内へ外気が流入してその負圧化状態を解消できるよう設けたものである。
【０００６】
請求項３記載の場合は、上記請求項１又は２記載の課題のほか、シリンダを保持筒部材に螺合させることでプランジヤが上限まで押上げられた後は、容器体胴部の圧搾が不能となるよう設けたものである。
【０００７】
請求項４記載の場合も、請求項１又は２記載の課題のほか、シリンダと保持筒部材とが假位置決めされてプランジヤがシリンダ上限まで押上げられると容器体胴部の圧搾が困難となると共に、シリンダ抜き出しに際しては、該シリンダを保持筒部材に対して回動させることで該シリンダが一定高さ上昇して、該シリンダ抜出しが容易であるよう設けたものである。
【０００８】
【課題を解決するための手段】
第１の手段として、弾性圧搾可能に設けた胴部２の上端から、口頸部４を起立する容器体１と、
上記口頸部上端面へ係合させた鍔状頂壁13から装着筒12を垂下して口頸部４外面へ嵌合させると共に、上記鍔状頂壁13からガイド筒14を、かつ該ガイド筒下端から縮径部15を介して容器体内へ押上げパイプ16付きの口筒17を、それぞれ装着筒12と同軸に突設する保持筒部材11と、
上記ガイド筒14内へ嵌合させたシリンダ26下端から、内向きフランジ27を介して小内径のノズル28を垂下し、該ノズル下端を上記口筒17の上端部内へ水密に嵌合させ、又シリンダ26上端に、上記保持筒部材11からの引抜き用把手30を付設したシリンダ付き部材25と、  上記シリンダ内へ、水密にかつ上下動自在に嵌合させた有頂かつ下面開口のプランジヤ35と、
上記シリンダの上端部内面へ固着されて、プランジヤ35の抜出しを防止するストッパ42とからなり、
上記容器体胴部の強制圧搾によって、押上げパイプ16、口筒17、ノズル28を通ってシリンダ内へ入った液体が、プランジヤ35を押上げ可能に形成した。
【００１３】
第２の手段として、上記第１の手段を有すると共に、口筒１７の中間部内面に吸込み弁２０を設け、かつ縮径部１５ないしガイド筒１４に外気吸入用小透孔１８を穿設した。
【００１４】
第３の手段として、上記第１又は第２の手段を有すると共に、保持筒部材１１が有する筒部分内面一部と、該筒部分内に嵌合するシリンダ付き部材２５が有する筒部分外面一部とを螺合させた。
【００１５】
第４の手段として、弾性圧搾可能に設けた胴部２の上端から、口頸部４を起立する容器体１と、
上記口頸部上端面へ係合させた鍔状頂壁13から装着筒12を垂下して口頸部４外面へ嵌合させると共に、上記鍔状頂壁13からガイド筒14を、かつ該ガイド筒下端から縮径部15を介して容器体内へ押上げパイプ16付きの口筒17を、それぞれ装着筒12と同軸に突設する保持筒部材11と、
上記ガイド筒14内へ嵌合させたシリンダ26下端から、内向きフランジ27を介して小内径のノズル28を垂下し、該ノズル下端を上記口筒17の上端部内へ水密に嵌合させ、又シリンダ26上端に、上記保持筒部材11からの引抜き用把手30を付設したシリンダ付き部材25と、  上記シリンダ内へ、水密にかつ上下動自在に嵌合させたプランジヤ35と、
上記シリンダの上端部内面へ固着されて、プランジヤ35の抜出しを防止するストッパ42とからなり、
上記容器体胴部の強制圧搾によって、押上げパイプ16、口筒17、ノズル28を通ってシリンダ内へ入った液体が、プランジヤ35を押上げ可能に形成し、
又上記縮径部15の上端部分から、複数かつ同一大きさの山形突部46を等間隔に起立すると共に、それ等山形突部の各上面に下面を噛合う複数の逆山形突部47をシリンダ下端の内向きフランジ27外周部から垂設し、
又ガイド筒14とシリンダ26との各上部対向面に、互いに係合してガイド筒14に対してシリンダ26を下限位置で假止めする凹凸の係合手段45を付設した。
【００１７】
【発明の実施の形態】
まず、図１から図３が示す実施形態について説明すると、１は弾性圧搾可能に設けた胴部２を有する容器体で、胴部上端から肩部３を介して口頸部４を起立する。
【００１８】
上記容器体の口頸部４外面へは、保持筒部材１１の装着筒１２を螺合させている。該保持筒部材は、装着筒上端に付設した鍔状頂壁１３内周縁からガイド筒１４を容器体内へ垂下し、該ガイド筒下端から縮径部１５を介して押上げパイプ１６付きの口筒１７を垂下する。上記ガイド筒１４、口筒１７は装着筒１２と同軸とする。
【００１９】
上記縮径部１５は、図示例においてガイド筒１４下端から小内径の雌ねじの螺筒１５ａ  を段部を介して垂設すると共に、該螺筒下端に付設した内向きフランジ１５ｂ  内縁で小径筒１５ｃ  の中間部を保持し、更に該小径筒下端内面に付設した内向きフランジ状突部内縁を口筒１７の上部外面へ連結して該口筒を保持している。小径筒下端には外気吸入用小透孔１８を穿設しており、又口筒１７の中間部内面には玉弁１９による吸込み弁２０を設け、口筒下半に押上げパイプ１６の上端部を嵌着させている。上記外気吸入用小透孔１８はガイド筒１４に穿設してもよい。
【００２０】
上記保持筒部材１１内へは、シリンダ付き部材２５を着脱自在にかつ好ましくは水密に嵌合させる。該部材は上記ガイド筒１４内へ嵌合させたシリンダ２６下端から、内向きフランジ２７を介して小内径のノズル２８を垂下し、該ノズル下端を上記口筒１７の上端部内へ水密に嵌合させ、又シリンダ上端から既述鍔状頂壁１３上面へ係合させた外向きフランジ２９を介して左右反対方向へ、保持筒部材１１内からの引抜き用把手３０を突設している。尚上記内向きフランジ２７の外周部からは雄ねじ筒３１を垂下し、該雄ねじ筒を既述螺筒１５ａ  内面へ螺合させている。該雄ねじ筒内面は図１において小径筒１５ｃ  の上部外面へ水密に嵌合させている。
【００２１】
上記シリンダ２６内へは、水密にかつ上下動自在にプランジヤ３５を嵌合させている。該プランジヤは、筒状ピストン３６の中間部内面に付設した内向きフランジ状板３７内周縁から嵌合筒３８を起立する下部材３９と、上記嵌合筒３８外面へ下方筒部を嵌着させた有頂筒４０とで形成している。
【００２２】
既述シリンダ２６の上端部内面へは、プランジヤ３５の抜出し防止用の環状ストッパ４２を嵌着させている。該ストッパはプランジヤ３５がシリンダ内を上昇して筒状ピストン３６上端がストッパ４２下端に接することで上昇を阻止され、その抜出しが防止されるものである。
【００２３】
上記構成において、予め容器体内へ液体を入れておき、容器体胴部２を強制圧搾すると、容器体内高圧化で押上げパイプ１６、口筒１７、ノズル２８内を通って容器体内液体がシリンダ２６内へ入り、プランジヤ３５を押上げし、該プランジヤの筒状ピストン３６上端がストッパ４２に接することで図３のようにプランジヤ３５は停止する。該状態からシリンダ付き部材２５を螺脱して引抜き、かつプランジヤ３５をシリンダ２６に対して押下げることでシリンダ内液体を他の容器体内等へ移すことが出来る。
【００２４】
図４と図５が示す第２実施形態は、既述第１実施形態における螺筒１５ａ  と雄ねじ筒３１との螺合に代えてガイド筒１４とシリンダ２６とを直接各上部に設けた雌ねじ部１４ａ  と雄ねじ部２６ａ  とで螺合させている。又プランジヤ３５は、筒状ピストン３６の中間部内面に付設した内向きフランジ状板３７内周から直接に有頂の筒部を起立して形成している。上記内向きフランジ状板３７下面からは筒状ピストン保護のための短筒３７ａ  を垂下するとよい。
【００２５】
その他部分の構造は第１実施形態の場合とほぼ同様であり、その使用も同様に行えばよい。
【００２６】
図６と図７が示す第３実施形態の場合は、ガイド筒１４を鍔状頂壁１３から上方へ起立し、又鍔状頂壁１３内周から容器体口頸部４内面へ嵌合させて嵌合筒１５ｄ  を垂下し、該嵌合筒下端に付設した内向きフランジ１５ｅ  内周を口筒１７の上部外面へ連結して該口筒を吊下げている。該実施形態にあっては、ガイド筒１４下端から内方の鍔状頂壁部分と、嵌合筒１５ｄ  と、内向きフランジ１５ｅ  とが縮径部１５を形成する。
【００２７】
シリンダ２６は上記ガイド筒１４内へ嵌合させればよく、ガイド筒１４とシリンダ２６とは各上部で図４の場合と同様雌ねじ部１４ａ  と雄ねじ部２６ａ  とで螺合させている。プランジヤ３５は底板付きの二重筒としており、その内外両筒間には複数のリブを介在させて内外両筒を連結している。又外筒の下部外面に筒状ピストン３６を付設している。
【００２８】
該実施形態は、シリンダ２６を容器体口頸部４よりも大内径に形成する場合に便利であり、鍔状頂壁１３下面から装着筒１２を垂下すると共に、該装着筒上端を接続する鍔状頂壁部分よりもやや外方頂壁部分から装着筒１２と同軸にガイド筒１４を起立し、口頸部４とほぼ同外径のシリンダ２６をそのガイド筒１４内へ嵌合させている。鍔状頂壁１３外周からは、斜下外方へのテーパ状部を介して、装着筒１２を囲成する化粧筒を垂下している。
その他部分の構造は、既述各実施形態と同様に設ければよい。
【００２９】
図８と図９とが示す第４実施形態は、既述図１から図３までの第１実施形態における螺筒１５ａ  と雄ねじ筒３１との螺合に代え、ガイド筒１４とシリンダ２６との各上部に凹凸の係合手段４５を設け、又ガイド筒１４の下端内面に外面側を付設させて、縮径部１５上端の外周部から、同一大きさに設けた複数の山形突部４６を等間隔に起立し、かつそれ等山形突部４６の各上面に下面を噛合う複数の逆山形突部４７をシリンダ２６下端の内向きフランジ２７外周部から垂下し、図示状態から把手３０を介してシリンダ付き部材２５を回すと、上記正逆の両山形突部の噛合せ面が噛合うことでガイド筒１４に対してシリンダ２６が押上げられ、すると上記係合手段４５が外れて、ガイド筒１４に対してシリンダ付き部材２５が上方へ引抜き可能としている。その他部分の構造は、図１の場合と同様である。
【００３０】
尚既述各実施形態にあっては口筒１７に吸込み弁２０を設け、又縮径部１５ないしガイド筒１４に外気吸込用小透孔１８を設けるが、これ等は必しも必要ではなく、これ等を設けない場合は、容器体胴部を圧搾してプランジヤ３５が上限に移動するまでシリンダ内へ液体を圧入させた後、その胴部圧縮状態を保ったままで胴部の加圧を停止し、該状態からシリンダ付き部材２５を抜出した後、上記圧縮状態を解放することで胴部を弾性復元させる。このようにすることでプランジヤを上昇させてシリンダ２６内へ所定量の液体を圧入させ、そのままシリンダ付き部材２５を抜出すことが出来る。抜出し後に胴部の圧搾を弛めれば外気流入により胴部は弾性復元する。
【００３１】
上記方法に対して吸込み弁２０および外気吸入用小透孔１８を穿設した場合は、容器体胴部圧搾によるシリンダ内への液体流入によってプランジヤ３５が上限まで上昇したとき胴部の圧搾を弛めても、吸込み弁２０が閉塞するためシリンダ２６内液体が容器体内に吸戻しされることはなく、よって胴部圧搾の手を弛めたままでシリンダ付き部材２５をガイド筒１４内から抜出すことが出来、又抜出し後に外気吸入用小透孔１８から外気が容器体内へ流入することで、容器体胴部は弾性復元する。
【００３２】
又保持筒部材１１とシリンダ付き部材２５との螺合又は係合手段４５による係合も必しも必要ではない。これ等を設けなければ、容器体胴部圧搾によりシリンダ内へ流入した液体がプランジヤ３５を上限まで押上げた後、続いてシリンダ２６が保持筒部材１１に対して押上げられる筈であるが、実際にはプランジヤ押上げよりもシリンダ押上げにより多くの力を要するからその胴部圧搾の手応えの変化によりプランジヤ３５が上限まで上昇したことを知ることが出来、このとき容器体胴部の圧搾を停止することが出来る。
【００３３】
既述液体分配容器の各構成部材は、玉弁１９を除き、すべて合成樹脂材で成形しているが、玉弁１９は金属、合成樹脂、その他玉弁に適する材料で成形すればよい。
【００３４】
【発明の効果】
請求項１記載の発明は、既述のように、容器体胴部の圧搾によりプランジヤ３５が押上げられてシリンダ２６内へ容器体内液体が流入し、プランジヤ３５が上限に達したことを手応えによって知ることが出来るよう設けたから、従来のように計量カップ内へ流入した液体量を常に目視する必要がなく、又計量後、つまりプランジヤ３５が上限に達した後は、シリンダ付き部材２５を保持筒部材１１内から抜出し、プランジヤ３５をシリンダ２６内へ押込むことでシリンダ内液体をノズル２８から注出できるから、液体の移し変えを容易に行うことが出来る。又ノズル２８は小内径としたから、シリンダ付き部材２５を保持筒部材１１内から抜出しただけでは、プランジヤ３５を押下げない限り、そのノズルから液洩れすることを防止することが出来る。
【００３５】
請求項２記載の場合は、上記請求項１発明の効果を有するほか、保持筒部材１１の口筒１７内に吸込み弁２０を設け、又縮径部１５ないしガイド筒１４に外気吸入用小透孔１８を穿設したから、容器体胴部の圧搾によってシリンダ２６内へ流入した液体がプランジヤ３５を上限まで押上げた後、胴部の圧搾を解放しても吸込み弁２０があるため、シリンダ内液体が容器体胴部内の負圧化で吸戻されることがなく、よってシリンダ付き部材抜取り操作を容易に行うことが出来る。
【００３６】
請求項３記載の場合は、既述請求項１又は２記載容器が有する効果のほか、保持筒部材１１が有する筒部分内面一部と、該筒部分内に嵌合するシリンダ付き部材２５が有する筒部分外面一部とを螺合させたから、プランジヤ３５がシリンダ２６の上限まで押上げられた後も既述手応えに気付かずに、更に容器体胴部を圧搾し続けた場合も、シリンダ付き部材２５が保持筒部材１１から抜出すおそれは全くない。
【００３７】
請求項４記載の場合は、請求項１又は２記載の容器が有する効果のほか、ガイド筒１４とシリンダ２６との各上部対向面に互いに係合してガイド筒１４に対してシリンダ２６を下限位置で假止めする凹凸の係合手段４５を付設したから、上記請求項３記載容器の場合と同様、プランジヤ３５が上限まで押上げられてシリンダ内に液体が充満したことの手応えがあった後、更に容器体胴部を圧搾し続けても、該圧搾によってはシリンダ付き部材２５が保持筒部材１１から抜出すことはなく、又縮径部１５上端外周部とシリンダ下端の内向きフランジ２７外周部とに、互いに噛合う複数の正逆の山形突部４６，  ４７を付設したから、保持筒部材１１に対してシリンダ付き部材２５を回動させると、シリンダ付き部材２５の逆山形突部４７が保持筒部材１１の山形突部４６上へ乗上げて、シリンダ付き部材が上昇することとなり、よって該シリンダ付き部材の抜出しを容易に行うことが出来る効果がある。
【図面の簡単な説明】
【図１】第１実施形態で示す、本発明容器の半断面図である。
【図２】図１容器の平面図である。
【図３】シリンダ内に液体を充満させた状態で示す、図１容器の半断面図である。
【図４】第２実施形態で示す、本発明容器の半断面図である。
【図５】図４容器の平面図である。
【図６】第３実施形態で示す、本発明容器の半断面図である。
【図７】図６容器の平面図である。
【図８】第４実施形態で示す、本発明容器の半断面図である。
【図９】図８容器要部の拡大展開図である。
【符号の説明】
１１…保持筒部材                ２５…シリンダ付き部材
３５…プランジヤ                                ４２…環状ストッパ
【図１】
0003621520.tif 000002
【図２】
0003621520.tif 000003
【図３】
0003621520.tif 000004
【図４】
0003621520.tif 000005
【図５】
0003621520.tif 000006
【図６】
0003621520.tif 000007
【図７】
0003621520.tif 000008
【図８】
0003621520.tif 000009
【図９】
0003621520.tif 000010